(57)【特許請求の範囲】
【請求項１】
開口部が形成された容器と、
前記容器の前記開口部を覆うよう前記容器に接合された蓋と、を備え、
前記容器は、底面と、前記底面の外縁に沿って一周にわたって広がるよう前記底面から立設された側面と、前記側面の上部に連設されたフランジ部と、を有し、
前記フランジ部は、互いに対向する一対の辺を少なくとも含み、
前記フランジ部は、一周にわたって連続的に前記側面に連設された内側部分と、前記内側部分の外側に位置する外側部分と、前記内側部分と前記外側部分とを連結する連結部分と、に区画され、
前記内側部分のうち前記フランジ部の前記一対の辺を構成する部分には、前記内側部分の外側の端部から内側へ凹んだ複数の凹部が形成されており、
前記外側部分のうち前記フランジ部の前記一対の辺を構成する部分は、前記内側部分に沿って延びる外側本体部と、前記外側本体部の内側の端部から内側へ突出した複数の内方突起部と、を有し、
前記フランジ部の前記一対の辺が延びる方向において、前記外側部分の前記内方突起部の寸法は、前記内側部分の前記凹部の寸法よりも小さくなっており、
前記外側部分の前記内方突起部の内側の端部は、少なくとも部分的に、前記内側部分の外側の端部よりも内側に位置しており、
前記蓋は、前記内側部分の上面に、一周にわたって連続的に接合されており、かつ、前記外側部分の上面に、少なくとも部分的に接合されている、蓋付容器。
【請求項２】
前記内側部分および前記外側部分は、前記連結部分を破断させて前記蓋を前記容器から取り外した後、前記蓋で前記容器を再封した状態において、前記外側部分が接合された状態の前記蓋が前記容器に対して、前記フランジ部の前記一対の辺が延びる方向において移動可能であるよう、構成されている、請求項１に記載の蓋付容器。
【請求項３】
前記外側部分の前記内方突起部の上面は、少なくとも部分的に、前記内側部分の上面よりも下方に位置している、請求項１または２に記載の蓋付容器。
【請求項４】
前記外側部分の前記内方突起部の上面は、前記内方突起部の内側端部に向かって下方に傾斜する傾斜面を含む、請求項１乃至３のいずれか一項に記載の蓋付容器。
【請求項５】
前記外側部分の前記内方突起部の上面は、少なくとも部分的に、前記内側部分の下面よりも下方に位置している、請求項３または４に記載の蓋付容器。
【請求項６】
前記内側部分または前記外側部分の前記内方突起部の少なくともいずれかには、前記連結部分を破断させて前記蓋を前記容器から取り外した後、前記蓋で前記容器を再封した状態において、前記外側部分が接合された状態の前記蓋が前記容器に対して移動することを制限するための係止部が設けられている、請求項１乃至５のいずれか一項に記載の蓋付容器。
【請求項７】
前記外側部分は、前記内側部分の下面よりも下方に位置する補強部を有する、請求項１乃至６のいずれか一項に記載の蓋付容器。
【請求項８】
前記外側部分は、前記内側部分の上面よりも上方に位置するとともに前記蓋よりも外側に位置する壁部を有する、請求項１乃至７のいずれか一項に記載の蓋付容器。
【請求項９】
前記蓋と前記外側部分の上面との間の接合力が、前記蓋と前記内側部分との間の接合力よりも大きくなっている、請求項１乃至８のいずれか一項に記載の蓋付容器。
【請求項１０】
前記フランジ部のうち前記一対の辺と対向しない辺において、前記外側部分は、前記外側部分の少なくとも一部が、水平方向に沿って見た場合に前記内側部分と少なくとも部分的に重なるよう、構成されている、請求項１乃至９のいずれか一項に記載の蓋付容器。
【請求項１１】
前記フランジ部のうち前記一対の辺と対向しない辺において、前記外側部分は、前記外側部分の下面が、前記内側部分の上面と同一平面上に、または内側部分の上面よりも上方に位置するよう、構成されている、請求項１乃至９のいずれか一項に記載の蓋付容器。
【発明の詳細な説明】
【技術分野】
【０００１】
本発明は、開口部が形成された容器と、容器の開口部を覆うよう容器に接合された蓋と、を備えた蓋付容器に関する。
【背景技術】
【０００２】
近年、食品や化成品等を収容する容器の開口部を覆うために容器に接合される蓋として、蓋をいったん容器から取り外した後にも、容器の開口部を安定に覆うことができるよう構成されたものが提案されている。例えば特許文献１には、トレーおよびトレーから分離可能に構成されたカバー枠を有する容器と、トレーの上面およびカバー枠の上面に溶着されたカバーフォイルと、を備える蓋付容器が開示されている。この蓋付容器は、トレーからカバーフォイルを取り外すと、カバーフォイルとともにカバー枠もトレーから取り外されるように構成されている。またカバー枠は、トレーに対してスナップ止めされ得るよう構成されている。具体的には、トレーには凹部が形成され、カバー枠には、トレーに向けてカバー枠を下方へ移動させることによってトレーの凹部に嵌合することができる凸部が形成されている。このため、トレーから取り外されたカバーフォイルを再びトレーに被せ、そしてカバーフォイルに溶着されているカバー枠をトレーに対してスナップ止めによって固定することにより、容器の開口部を再び安定に覆うことができる。
【先行技術文献】
【特許文献】
【０００３】
【特許文献１】特表２０１４−５０２５８４号公報
【発明の概要】
【発明が解決しようとする課題】
【０００４】
特許文献１においては、カバー枠をトレーから取り外した後、トレーに向けてカバー枠を下方へ移動させるとき、はじめに、カバー枠の突肉部に形成されている凸部が、トレーの枠部分の突肉部に当接し、次に、カバー枠の突肉部が外側へ変形する。その後、トレーの枠部分の突肉部に形成されている凹部の位置にまで、カバー枠の突肉部の凸部が移動すると、カバー枠の突肉部の凸部がトレーの枠部分の突肉部の凹部に嵌合して、カバー枠がトレーに対してスナップ止めされる。このように特許文献１においては、カバー枠をトレーに被せるためにカバー枠を下方へ移動させる間に、カバー枠の突肉部の変形、および、カバー枠の突肉部の凸部とトレーの枠部分の突肉部の凹部との嵌合が生じる。このことは、カバー枠の突肉部の凸部が、カバー枠をトレーに被せるためにカバー枠を下方へ移動させることに対する抵抗になることを意味している。このため、そのような抵抗が存在しない場合に比べて、カバー枠をトレーに被せるときに、水平方向におけるカバー枠の位置がずれ易くなり、この結果、カバー枠を利用してトレーを再封することの作業性が低下してしまう。
【０００５】
本発明は、このような課題を効果的に解決し得る蓋付容器を提供することを目的とする。
【課題を解決するための手段】
【０００６】
本発明は、開口部が形成された容器と、前記容器の前記開口部を覆うよう前記容器に接合された蓋と、を備え、前記容器は、底面と、前記底面の外縁に沿って一周にわたって広がるよう前記底面から立設された側面と、前記側面の上部に連設されたフランジ部と、を有し、前記フランジ部は、互いに対向する一対の辺を少なくとも含み、前記フランジ部は、一周にわたって連続的に前記側面に連設された内側部分と、前記内側部分の外側に位置する外側部分と、前記内側部分と前記外側部分とを連結する連結部分と、に区画され、前記内側部分のうち前記フランジ部の前記一対の辺を構成する部分には、前記内側部分の外側の端部から内側へ凹んだ複数の凹部が形成されており、前記外側部分のうち前記フランジ部の前記一対の辺を構成する部分は、前記内側部分に沿って延びる外側本体部と、前記外側本体部の内側の端部から内側へ突出した複数の内方突起部と、を有し、前記フランジ部の前記一対の辺が延びる方向において、前記外側部分の前記内方突起部の寸法は、前記内側部分の前記凹部の寸法よりも小さくなっており、前記外側部分の前記内方突起部の内側の端部は、少なくとも部分的に、前記内側部分の外側の端部よりも内側に位置しており、前記蓋は、前記内側部分の上面に、一周にわたって連続的に接合されており、かつ、前記外側部分の上面に、少なくとも部分的に接合されている、蓋付容器である。
【０００７】
本発明による蓋付容器において、前記内側部分および前記外側部分は、前記連結部分を破断させて前記蓋を前記容器から取り外した後、前記蓋で前記容器を再封した状態において、前記外側部分が接合された状態の前記蓋が前記容器に対して、前記フランジ部の前記一対の辺が延びる方向において移動可能であるよう、構成されていてもよい。
【０００８】
本発明による蓋付容器において、前記外側部分の前記内方突起部の上面は、少なくとも部分的に、前記内側部分の上面よりも下方に位置していてもよい。
【０００９】
本発明による蓋付容器において、前記外側部分の前記内方突起部の上面は、前記内方突起部の内側端部に向かって下方に傾斜する傾斜面を含んでいてもよい。
【００１０】
本発明による蓋付容器において、前記外側部分の前記内方突起部の上面は、少なくとも部分的に、前記内側部分の下面よりも下方に位置していてもよい。
【００１１】
本発明による蓋付容器において、前記連結部分を破断させて前記蓋を前記容器から取り外した後、前記蓋で前記容器を再封した状態において、前記内側部分または前記外側部分の前記内方突起部の少なくともいずれかには、前記外側部分が接合された状態の前記蓋が前記容器に対して移動することを制限するための係止部が設けられていてもよい。
【００１２】
本発明による蓋付容器において、前記外側部分は、前記内側部分の下面よりも下方に位置する補強部を有していてもよい。
【００１３】
本発明による蓋付容器において、前記外側部分は、前記内側部分の上面よりも上方に位置するとともに前記蓋よりも外側に位置する壁部を有していてもよい。
【００１４】
本発明による蓋付容器において、前記蓋と前記外側部分の上面との間の接合力が、前記蓋と前記内側部分との間の接合力よりも大きくなっていてもよい。
【００１５】
本発明による蓋付容器において、前記フランジ部のうち前記一対の辺と対向しない辺において、前記外側部分は、前記外側部分の少なくとも一部が、水平方向に沿って見た場合に前記内側部分と少なくとも部分的に重なるよう、構成されていてもよい。
【００１６】
本発明による蓋付容器において、前記フランジ部のうち前記一対の辺と対向しない辺において、前記外側部分は、前記外側部分の下面が、前記内側部分の上面と同一平面上に、または内側部分の上面よりも上方に位置するよう、構成されていてもよい。
【発明の効果】
【００１７】
本発明による容器のフランジ部において、内側部分および外側部分は、連結部分によって連結されている。そして蓋は、フランジ部の少なくとも外側部分の上面に接合されている。このことにより、容器の連結部分を破断させることによって蓋が取り外された後の容器に、蓋を再び被せることにより、容器を再封することができる。従って、再封性を有する蓋付容器を提供することができる。また本発明において、内側部分のうちフランジ部の一対の辺を構成する部分には、内側部分の外側の端部から内側へ凹んだ複数の凹部が形成されている。また外側部分のうちフランジ部の一対の辺を構成する部分は、内側部分に沿って延びる外側本体部と、外側本体部の内側の端部から内側へ突出した複数の内方突起部と、を有している。フランジ部の前記一対の辺が延びる方向において、外側部分の内方突起部の寸法は、内側部分の凹部の寸法よりも小さくなっている。このため、外側部分が接合されている蓋を、開封された容器に被せる際に、外側部分の内方突起部が内側部分に当接することによって下方への蓋の移動が阻害されてしまうことを抑制することができる。このことにより、外側部分が接合されている蓋を容易に容器に被せることができる。また、外側部分の内方突起部の内側の端部は、少なくとも部分的に、内側部分の外側の端部よりも内側に位置している。このため、外側部分が接合されている蓋を容器に被せた後、蓋を容器に対して相対的に移動させることにより、外側部分の内方突起部の上面が少なくとも部分的に内側部分の下面よりも下方に位置する状態を実現することができる。これによって、上下方向における蓋の移動を、外側部分の内方突起部と内側部分との当接に基づいて妨げることができる。このことにより、蓋が容器から外れてしまうことを抑制することができる。このため、再封性を向上させることができる。
【図面の簡単な説明】
【００１８】
【図１】図１は、本発明の実施の形態における蓋付容器を構成する部材の分解図。
【図２】図２は、本発明の実施の形態における蓋付容器を示す平面図。
【図３】図３は、図２に示す蓋付容器をフランジ部の長辺が延びる方向に沿って切断した場合を示す断面図。
【図４】図４は、図２に示す蓋付容器をフランジ部の短辺が延びる方向に沿って切断した場合を示す断面図。
【図５】図５は、フランジ部の内側部分および外側部分を拡大して示す断面図であって、図２の線Vに沿った断面図。
【図６】図６は、フランジ部の内側部分および外側部分を拡大して示す断面図であって、図２の線VIに沿った断面図。
【図７】図７は、連結部分を拡大して示す平面図。
【図８】図８は、容器から蓋が取り外された状態を示す図。
【図９】図９は、蓋付容器から蓋を取り外した後、開封容器を蓋で再封している様子を示す平面図。
【図１０】図１０は、図９の線Xに沿った断面図。
【図１１】図１１は、傾斜した上面を有する外側部分の内方突起部を備えた蓋付容器を示す断面図。
【図１２】図１２は、傾斜した下面を有する内側部分を備えた蓋付容器を示す断面図。
【図１３】図１３は、傾斜した上面を有する外側部分の内方突起部を備えた蓋付容器を示す断面図。
【図１４】図１４は、本発明の実施の形態における容器の一変形例を示す図。
【図１５】図１５は、本発明の実施の形態における容器の一変形例を示す図。
【図１６】図１６は、本発明の実施の形態における容器の一変形例を示す図。
【図１７】図１７は、本発明の実施の形態の一変形例における蓋付容器を示す平面図。
【図１８】図１８は、図１７に示す蓋付容器をフランジ部の長辺が延びる方向に沿って切断した場合を示す断面図。
【発明を実施するための形態】
【００１９】
以下、図１乃至図１０を参照して、本発明の実施の形態について説明する。まず図１乃至図４を参照して、本実施の形態における蓋付容器１０全体について説明する。
【００２０】
（蓋付容器）
図１は、蓋付容器１０を構成する部材の分解図であり、図２は、蓋付容器１０の平面図である。また図３は、図２において、容器２０の中心を通り、後述する容器２０のフランジ部２６の長辺が延びる方向に沿って蓋付容器１０を切断した場合を示す縦断面図である。また図４は、図２において、容器２０の中心を通り、後述する容器２０のフランジ部２６の短辺が延びる方向に沿って蓋付容器１０を切断した場合を示す縦断面図である。なお図２並びに後述する図１７においては、図が煩雑になることを防ぐため、蓋５０を省略した状態の蓋付容器１０の平面図が示されている。また、図４においては、図が煩雑になることを防ぐため、連結部４５を省略した状態の蓋付容器１０の縦断面図が示されている。
【００２１】
蓋付容器１０は、開口部２８が形成された容器２０と、容器２０の開口部２８を覆うよう容器２０に接合された蓋５０と、を備えている。なお本明細書において、「接合」とは、溶着および接着の両方を含む概念である。「溶着」とは、容器２０または蓋５０の少なくともいずれかを少なくとも部分的に溶融させることによって、蓋５０を容器２０に取り付けることを意味している。また「接着」とは、接着剤などの、容器２０および蓋５０とは別個の構成要素を用いて、蓋５０を容器２０に取り付けることを意味している。
【００２２】
また本明細書において、「蓋付容器」とは、特に断らない限り、容器２０に蓋５０を接合した後、まだ一度も蓋５０が取り外されていない状態を意味している。言い換えると、蓋付容器１０は、後述する連結部分４５が破断されていない状態の容器２０と、容器２０に接合された蓋５０と、を備えている。また以下の説明において、連結部分４５を破断させることによって蓋５０が取り外された後の容器２０のことを、開封容器２１と称することもある。
【００２３】
後述するように、本実施の形態による蓋付容器１０は、連結部分４５を破断させることによって蓋５０が取り外された後の開封容器２１に、蓋５０を再び被せることにより、蓋５０を利用して開封容器２１の開口部２８を覆うことができること、すなわち再封性を有することを特徴としている。また後述するように、本実施の形態による蓋付容器１０は、初期密封性に優れることをさらなる特徴としていてもよい。なお「初期密封性」とは、蓋付容器１０における、すなわち容器２０に蓋５０を接合した後にまだ一度も蓋５０が取り外されていない状態における、容器２０のフランジ部２６と蓋５０との間の密着性を意味している。また後述するように、本実施の形態による蓋付容器１０は、使用者が開封された容器を保持する際に使用者の指がばりによって傷ついてしまうことを抑制することができることをさらなる特徴としていてもよい。
【００２４】
（容器）
次に容器２０について説明する。図１乃至図４に示すように、容器２０は、底面２２と、底面２２の外縁２２ｅに沿って一周にわたって広がるよう底面２２から立設された側面２４と、側面２４の上部に連設されたフランジ部２６と、を有している。上述の蓋５０は、容器２０のフランジ部２６に接合される。図１、図３および図４においては、フランジ部２６が側面２４の上縁に連設され、外側に向かって水平方向に延びる例が示されている。なお本明細書において、「側面」、「上部」、「上縁」や後述する「上面」、「下面」、「水平方向」などの用語は、容器２０の底面２２が下方に位置するように蓋付容器１０や容器２０が載置されている状態を基準として蓋付容器１０、容器２０、蓋５０やそれらの構成要素の位置や方向を表すものである。
【００２５】
図１および図２に示すように、フランジ部２６は、互いに対向する一対の長辺２６ａと、互いに対向する一対の短辺２６ｂとを含んでいる。図１および図２においては、一対の長辺２６ａが互いに平行であり、かつ一対の短辺２６ｂが互いに平行である例が示されている。すなわちフランジ部２６は、略矩形状の輪郭を有している。しかしながら、所望の内容物を容器２０に収容することができ、かつ後述する連結部分４５を破断させて蓋５０を容器２０から取り外した後に容器２０を蓋５０で再封した状態において、長辺２６ａが延びる方向において蓋５０を容器２０に対して相対的に移動させることができる限りにおいて、一対の長辺２６ａが互いに非平行であってもよい。また開口部２８の輪郭と底面２２、フランジ部２６や蓋５０の輪郭とは、相似形であってもよく、相似していなくてもよい。
【００２６】
容器２０に収容される内容物は特には限られないが、内容物の例としては例えばナッツなどのおつまみ、ドライフルーツ、惣菜、お菓子等を挙げることができる。
【００２７】
〔フランジ部〕
以下、容器２０のフランジ部２６について詳細に説明する。図１および図２に示すように、フランジ部２６は、一周にわたって連続的に側面２４に連設された内側部分３０と、内側部分３０の外側に位置する外側部分３５と、内側部分３０と外側部分３５とを連結する連結部分４５と、に区画される。また蓋５０の下面５０ｂは、内側部分３０の上面３０ａに、一周にわたって連続的に接合されている。これによって、容器２０を密封することができる。なお本明細書において、「外側」とは、水平方向において容器２０の開口部２８から遠い側を意味している。また「内側」とは、水平方向において容器２０の開口部２８に近い側を意味している。
【００２８】
後述するように、本実施の形態による蓋付容器１０は、容器２０の連結部分４５を破断させて容器２０から蓋５０を取り外すとき、蓋５０とともに外側部分３５が容器２０から取り外されるよう、構成されている。従って蓋付容器１０の状態において、蓋５０は、外側部分３５の上面に少なくとも部分的に接合されている。
【００２９】
図１および図２に示すように、内側部分３０のうちフランジ部２６の一対の長辺２６ａを構成する部分には、内側部分３０の外側の端部（以下、外側端部とも称する）３０ｅから内側へ凹んだ複数の凹部３１が形成されている。凹部３１は、１つの長辺２６ａを構成する内側部分３０の部分に少なくとも１つ形成される。図１および図２においては、１つの長辺２６ａを構成する内側部分３０の部分に、長辺２６ａが延びる方向に沿って３つの凹部３１が形成される例が示されている。凹部３１の深さは、例えば１ｍｍ以上になっている。なお凹部３１の深さとは、長辺２６ａに直交する方向における、内側部分３０の外側端部３０ｅと凹部３１の底部３１ｅとの間の距離を意味している。
【００３０】
図１および図２に示すように、外側部分３５のうちフランジ部２６の一対の長辺２６ａを構成する部分は、内側部分３０に沿って延びる外側本体部３６と、外側本体部３６の内側の端部（以下、内側端部とも称する）３６ｅから内側へ突出した複数の内方突起部３７と、を有している。内方突起部３７は、内側部分３０の上述の凹部３１と同様に、１つの長辺２６ａを構成する外側部分３５の外側本体部３６の部分に少なくとも１つ設けられる。図１および図２においては、１つの長辺２６ａを構成する外側本体部３６の部分に、長辺２６ａが延びる方向に沿って３つの内方突起部３７が設けられる例が示されている。
【００３１】
図１および図２においては、外側本体部３６が、一周にわたって連続的に延びる例が示されている。しかしながら、長辺２６ａを構成する外側本体部３６の部分に内方突起部３７を設けることができる限りにおいて、外側本体部３６の形態が特に限られることはない。例えば外側本体部３６は、長辺２６ａの部分には存在するが、短辺２６ｂの部分には存在していなくてもよい。すなわち短辺２６ｂが内側部分３０のみによって構成されていてもよい。また、長辺２６ａを構成する外側本体部３６が断続的に構成されていてもよい。
【００３２】
本実施の形態において、容器２０のフランジ部２６は、連結部分４５を破断させて蓋５０を容器２０から取り外した後に、開封された容器２０（以下、開封容器２１とも称する）を蓋５０で再封した状態において、外側部分３５が接合された状態の蓋５０が開封容器２１に対して、フランジ部２６の一対の長辺２６ａが延びる方向Ｄ１において相対的に移動可能であるよう、構成されている。例えば図２に示すように、フランジ部２６の一対の短辺２６ｂの内側部分３０の外側端部３０ｅの間の距離Ｌ１は、フランジ部２６の一対の短辺２６ｂの外側部分３５の外側本体部３６の内側端部３６ｅの間の距離Ｌ２よりも小さくなっている。この場合、一方の短辺２６ｂ側で内側部分３０の外側端部３０ｅと外側部分３５の外側本体部３６の内側端部３６ｅとが当接する状態から、他方の短辺２６ｂ側で内側部分３０の外側端部３０ｅと外側部分３５の外側本体部３６の内側端部３６ｅとが当接する状態になるまで、長辺２６ａが延びる方向Ｄ１において、距離Ｌ１と距離Ｌ２との差の分だけ蓋５０を開封容器２１に対して相対的に移動させることができる。距離Ｌ１と距離Ｌ２との差は、例えば５ｍｍ〜３０ｍｍの範囲内に設定される。
【００３３】
図２において、フランジ部２６の一対の長辺２６ａが延びる方向Ｄ１における、内側部分３０の凹部３１の寸法が符号Ｓ１で表されている。また、方向Ｄ１における外側部分３５の内方突起部３７の寸法が符号Ｓ２で表されている。図２に示すように、方向Ｄ１において、外側部分３５の内方突起部３７の寸法Ｓ２は、内側部分３０の凹部３１の寸法Ｓ１よりも小さくなっている。このため、外側部分３５が接合された蓋５０を開封容器２１に被せる際や、外側部分３５が接合された蓋５０を開封容器２１から取り外す際に、内側部分３０と外側部分３５の内方突起部３７とが干渉し合うことを防ぐことができる。
【００３４】
内側部分３０の凹部３１および外側部分３５の内方突起部３７は、好ましくは、１つの長辺２６ａにつき２つ以上設けられる。また好ましくは、内側部分３０の凹部３１および外側部分３５の内方突起部３７は、平面視において容器２０のフランジ部２６の一対の長辺２６ａの中心を通る直線によってフランジ部２６を二等分した場合に、二等分されたフランジ部２６の一方に凹部３１および内方突起部３７が少なくとも１つずつ存在し、二等分されたフランジ部２６の他方にも凹部３１および内方突起部３７が少なくとも１つずつ存在するよう、配置されている。これによって、容器２０の再封性をより確実に向上させることができる。
【００３５】
外側部分３５が蓋５０に少なくとも部分的に接合された状態を維持しながら、蓋５０を容器２０から取り外すことができる限りにおいて、蓋５０の下面５０ｂと外側部分３５との間における接合の具体的な状態が特に限られることはない。例えば、蓋５０の下面５０ｂは、外側本体部３６の上面３６ａに、一周にわたって連続的に接合されていてもよい。若しくは、蓋５０の下面５０ｂは、外側本体部３６の上面３６ａに部分的に接合されていてもよい。なお後述するように、外側部分３５の内方突起部３７の上面３７ａは、開封容器２１に蓋５０を被せた状態で、開封容器２１に対して蓋５０を相対的に移動させることにより、内側部分３０の下面３０ｂに少なくとも部分的に当接するものである。従って、蓋５０の下面５０ｂは、内方突起部３７の上面３７ａには接合されていないことが好ましい。
【００３６】
ところで、容器２０の外側部分３５と蓋５０との間の接合力が、容器２０のその他の部分と蓋５０との間の接合力、例えば内側部分３０と蓋５０との間の接合力よりも小さい場合、容器２０から蓋５０を取り外すために容器２０のフランジ部２６の端部に力を加えるとき、蓋５０が内側部分３０から剥がれるよりも前に蓋５０が外側部分３５から、例えば外側本体部３６の上面３６ａから剥がれてしまうことが考えられる。この点を考慮し、好ましくは、蓋５０と外側部分３５との間の接合力が、蓋５０と内側部分３０との間の接合力よりも大きくなるよう、蓋付容器１０が構成されている。これによって、容器２０から蓋５０を取り外す際に蓋５０が外側部分３５から剥がれてしまうことを抑制することができる。
【００３７】
蓋５０と、フランジ部２６の内側部分３０および外側部分３５との間の接合力は、例えば、テンシロン引張試験機（例えば、株式会社オリエンテック製、ＲＴＣ−１３１０Ａ）を用いて測定することができる。以下、接合力を測定する手順の一例について説明する。
まず、蓋５０とフランジ部２６とが接合されたサンプルを、所定の幅、例えば１５ｍｍ幅にカットする。次に、蓋５０の一部分をフランジ部２６から剥離させ、テンシロンの一方のつかみ治具で蓋５０の一部分を挟み、他方のつかみ治具でフランジ部２６を挟む。その後、引張速度３００ｍｍ／ｍｉｎで、蓋５０の一部分とフランジ部２６とがなす角が１８０°になるように引っ張る。そして、蓋５０のその他の部分がフランジ部２６の各部分から剥離される際に計測される荷重の最大値を、蓋５０とフランジ部２６の各部分との間の接合力とする。
なお、蓋５０とフランジ部２６とが接合していない部分が予めサンプルに含まれる場合は、荷重を測定する前に蓋５０とフランジ部２６とを部分的に剥離させる作業を省略してもよい。
上記の測定方法を用いて接合力を算出したときに、蓋５０と外側部分３５の例えば外側本体部３６の上面３６ａとの間の接合力は、２０Ｎより大きいことが好ましく、３０Ｎより大きいことがさらに好ましく、蓋５０と内側部分３０の上面３０ａとの間の接合力は、２０Ｎ以下となることが好ましく、１５Ｎ以下となることがより好ましい。
【００３８】
蓋５０と外側部分３５との間の接合力を、蓋５０と内側部分３０との間の接合力よりも大きくするための具体的な構成や方法が特に限られることはない。例えば、外側部分３５の例えば外側本体部３６の上面３６ａのうち蓋５０に接合される部分の面積や幅を、内側部分３０の上面３０ａのうち蓋５０に接合される部分の面積や幅よりも大きくすることが考えられる。また、加熱に起因する溶着によって蓋５０をフランジ部２６に接合する場合、蓋５０を外側部分３５の例えば外側本体部３６の上面３６ａに溶着させる際の温度を、蓋５０を内側部分３０の上面３０ａに溶着させる際の温度よりも高くしてもよい。
【００３９】
次に、図５および図６を参照して、内側部分３０および外側部分３５について詳細に説明する。図５は、容器２０のフランジ部２６の外側部分３５の内方突起部３７および連結部４５を通るよう切断された蓋付容器１０の断面図であって、図２の線Vに沿った断面図である。また図６は、容器２０のフランジ部２６の外側部分３５の内方突起部３７を通らないよう切断された蓋付容器１０の断面図であって、図２の線VIに沿った断面図である。
【００４０】
本実施の形態において、内側部分３０の上面３０ａと、外側部分３５の外側本体部３６の上面３６ａとは、少なくとも部分的に同一平面上に位置している。例えば図５および図６に示すように、内側部分３０の上面３０ａと、外側部分３５の外側本体部３６の上面３６ａとが、全域にわたって同一の水平面上に位置している。このため、内側部分３０の上面３０ａ上および外側部分３５の外側本体部３６の上面３６ａ上に蓋５０を載置して、熱や超音波を利用した溶着などによって蓋５０をフランジ部２６に接合させる際、蓋５０の下面５０ｂを外側本体部３６の上面３６ａにより均一に接合することができる。すなわち、蓋５０を容器２０のフランジ部２６に安定に接合させることができる。このことにより、容器２０のフランジ部２６と蓋５０との間の接合力が、位置や個体に応じてばらつくことを抑制することができ、初期密封性を高めることができる。
【００４１】
なお「内側部分３０の上面３０ａと外側部分３５の外側本体部３６の上面３６ａとが同一平面上に位置する」とは、凹部３１の底部３１ｅの位置における、内側部分３０の上面３０ａの上下方向における位置と、内側端部３６ｅ位置における、外側部分３５の外側本体部３６の上面３６ａの上下方向における位置との差が、０．５ｍｍ以下であり、より好ましくは０．２ｍｍ以下であることを意味している。好ましくは、内側部分３０の上面３０ａのうち蓋５０の下面５０ｂに接する部分と、外側部分３５の外側本体部３６の上面３６ａのうち蓋５０の下面５０ｂに接する部分とが成す角度が、±３０度以下になっている。
【００４２】
図６において、符号Ｔ１およびＴ２はそれぞれ、内側部分３０の厚みおよび外側本体部３６の厚みを表している。内側部分３０の厚みＴ１および外側本体部３６の厚みＴ２は、連結部分４５を破断させる際に内側部分３０および外側本体部３６が破断したり変形したりしてしまうことを防ぐよう、設定される。例えば、内側部分３０の厚みＴ１および外側本体部３６の厚みＴ２はそれぞれ、０．５〜２．０ｍｍの範囲内に設定される。
【００４３】
図６において、符号Ｗ１およびＷ２はそれぞれ、内側部分３０および外側本体部３６の幅を表している。外側本体部３６の幅Ｗ２は、容器２０から蓋５０を取り外す際に蓋５０が外側本体部３６から分離されないように、かつ、蓋５０を容器２０に接合させる工程の際に蓋５０を外側本体部３６の上面３６ａ上に容易に位置決めできるように、設定されることが好ましい。例えば外側本体部３６の幅Ｗ２を３ｍｍ以上に設定することが好ましい。このことにより、フランジ部２６の外側部分３５の外側本体部３６に蓋５０を接合するときの製造適性を高めることができ、さらに、容器２０から蓋５０を取り外す際に外側部分３５の外側本体部３６を摘まみやすくすることができる。また、例えば蓋５０のうちフランジ部２６の外側部分３５の外側本体部３６に接合される部分の幅を３ｍｍ以上に設定することが好ましい。このことにより、初期密封性を担保しやすくすることができ、容器２０から蓋５０を取り外す際に蓋５０が外側部分３５の外側本体部３６から分離されにくくすることができる。
【００４４】
以下、再封性を向上させるために採用されている構成について説明する。本実施の形態において、外側部分３５の内方突起部３７は、開封容器２１に被せられた蓋５０を開封容器２１に対して相対的に移動させたときに、例えば蓋５０を開封容器２１に対してフランジ部２６の一対の長辺２６ａが延びる方向に沿って所定の距離にわたって移動させたときに、外側部分３５の内方突起部３７の上面３７ａが少なくとも部分的に、内側部分３０の下面３０ｂよりも下方に位置するよう、構成される。これによって後述するように、上下方向における蓋５０の移動を、開封容器２１の内側部分３０によって妨げることができる。
【００４５】
上下方向における蓋５０の移動を、開封容器２１の内側部分３０によって妨げることができる限りにおいて、内側部分３０に対する外側部分３５の内方突起部３７の配置が特に限られることはない。例えば、開封容器２１に被せられた蓋５０を移動させたとき、はじめに、内側部分３０の一部と外側部分３５の内方突起部３７の一部とが接触し、次に、内方突起部３７の上面３７ａが少なくとも部分的に内側部分３０の下面３０ｂに接触するように内方突起部３７が内側部分３０に対して相対的に下方に変形するよう、内側部分３０および内方突起部３７が構成されていてもよい。この場合、蓋５０が容器２０から取り外される前の状態において、外側部分３５の内方突起部３７の上面３７ａが少なくとも部分的に、内側部分３０の上面３０ａよりも下方に位置していることが好ましい。
【００４６】
若しくは、開封容器２１に被せられた蓋５０を移動させたとき、内側部分３０と外側部分３５の内方突起部３７とが変形することなく、内方突起部３７の上面３７ａが内側部分３０の下面３０ｂと同一平面上に、または少なくとも部分的に内側部分３０の下面３０ｂよりも下方に位置するよう、内側部分３０および外側部分３５の内方突起部３７が構成されていてもよい。例えば図５に示すように、内方突起部３７は、外側本体部３６の下面３６ｂに連結されており、かつ、内側に向かって水平方向に延びており、これによって、内方突起部３７の上面３７ａが内側部分３０の下面３０ｂと同一平面上に位置するようになっている。
また図示はしないが、内方突起部３７の上面３７ａが内側部分３０の下面３０ｂよりも下方に位置していてもよい。すなわち、上下方向において内方突起部３７の上面３７ａと内側部分３０の下面３０ｂとの間に隙間が存在していてもよい。この場合、隙間が０．５ｍｍ以下になっていることが好ましい。
【００４７】
好ましくは、連結部分４５が破断する前の状態において、外側部分３５の内方突起部３７の上面３７ａは、内側部分３０の上面３０ａおよび外側部分３５の外側本体部３６の上面３６ａと同一平面上に、または内側部分３０の上面３０ａおよび外側本体部３６の上面３６ａよりも下方に位置している。これによって、蓋５０を容器２０のフランジ部２６の内側部分３０の上面３０ａおよび外側本体部３６の上面３６ａに溶着させる作業が、内方突起部３７によって妨げられてしまうことを防ぐことができる。このことにより、初期密封性を担保しやすくすることができる。
【００４８】
また外側部分３５の内方突起部３７は、図２に示すように、内方突起部３７の内側端部３７ｅが少なくとも部分的に、内側部分３０の外側端部３０ｅよりも内側に位置するよう、構成されている。例えば、内方突起部３７の内側端部３７ｅと内側部分３０の外側端部３０ｅとの間の距離ｄは、０．５ｍｍ以上、好ましくは１．０ｍｍ以上になっている。この場合、後述するように、蓋５０によって再封された状態の開封容器２１において、距離ｄにわたって内側部分３０と外側部分３５の内方突起部３７とを当接させることができ、これによって、上下方向における蓋５０の移動を抑制することができる。
【００４９】
（補強部）
図５および図６に示すように、外側部分３５は、内側部分３０の下面３０ｂよりも下方に位置する補強部３８を有していてもよい。このような補強部３８を設けることにより、外側部分３５の剛性を高めることができる。これによって、容器２０から取り外された後の蓋５０が湾曲したりカールしたりしてしまうことをさらに抑制することができる。このため、再封性を向上させることができる。また、蓋付容器１０を開封するために連結部分４５を破断させる際、外側部分３５のうち補強部３８が設けられている部分を指などで摘まみ易くすることができる。このため、蓋付容器１０の開封性を向上させることができる。
【００５０】
（外側部分が壁部を有する例）
図５および図６に示すように、外側部分３５は、内側部分３０の上面３０ａよりも上方に位置するとともに蓋５０よりも外側に位置する壁部３９を有していてもよい。このような壁部３９を設けて蓋付容器１０の蓋５０を外側から囲うことにより、故意や過失によって蓋付容器１０の蓋５０が容器２０のフランジ部２６の外側部分３５から剥がされてしまうことを抑制することができる。また、上述の補強部３８の場合と同様に、壁部３９を設けることによって外側部分３５の剛性を高めることができる。これによって、容器２０から取り外された後の蓋５０が湾曲したりカールしたりしてしまうことをさらに抑制することができる。また、蓋付容器１０を開封するために連結部分４５を破断させる際、外側部分３５のうち壁部３９が設けられている部分を指などで摘まみ易くすることができる。このため、蓋付容器１０の開封性を向上させることができる。
【００５１】
（短辺側の内方突起部）
図２および図３に示すように、外側部分３５のうちフランジ部２６の一対の短辺２６ｂを構成する部分にも、内方突起部３７と同様の内方突起部４１が設けられていてもよい。図２においては、フランジ部２６の一対の短辺２６ｂのうちの一方を構成する外側部分３５が、外側本体部３６の内側端部３６ｅから内側へ突出した内方突起部４１を有する例が示されている。図２に示すように、内方突起部４１は、フランジ部２６の短辺２６ｂを構成する外側部分３５の全域にわたって、短辺２６ｂに沿って延びていてもよい。
【００５２】
次に、内側部分３０と外側部分３５とを連結する連結部分４５について説明する。図７は、連結部分４５を拡大して示す平面図である。
【００５３】
連結部分４５は、好ましくは、連結部分４５の一端が、内側部分３０のうち外側端部３０ｅ以外の部分に連結され、かつ連結部分４５の他端が、外側部分３５に連結されるよう、設けられている。例えば図５および図７に示すように、連結部分４５の一端は、内側部分３０の凹部３１の底部３１ｅまたは下面３０ｂに連結されており、また連結部分４５の他端は、外側部分３５の内方突起部３７の内側端部３７ｅに連結されている。このように連結部分４５を配置することにより、後述するように、連結部分４５を破断させた後に残り得るばりによって使用者の指などが傷ついてしまうことを抑制することができる。好ましくは、連結部分４５の厚みは、０．２〜０．８ｍｍの範囲内に設定される。また好ましくは、内側部分３０の厚みＴ１および外側本体部３６の厚みＴ２は、連結部分４５の厚みが内側部分３０の厚みＴ１および外側本体部３６の厚みＴ２の５０％以下になるよう、設定される。
【００５４】
上述のように、連結部分４５は、容器２０から蓋５０を取り外す際に破断される部分である。ところで、連結部分４５の強度が大きすぎると、連結部分４５を破断させるためにフランジ部２６に加えられる力が過剰に大きくなり、この結果、容器２０のうち連結部分４５以外の部分が破断したり変形したりしてしまうことが考えられる。従って連結部分４５は、適度な力で破断し得るよう構成されている。例えば連結部分４５は、図７に示すように、連結部分４５の断面積のうち内側部分３０と連結される部分における断面積が最も小さくなるよう、構成される。これによって、内側部分３０との連結面で連結部分４５を破断させやすくすることができる。このため、使用者が開封容器２１を保持する際に使用者の指がばりによって傷ついてしまうことをより抑制することができる。
【００５５】
より好ましくは、連結部分４５の断面積のうち、内側部分３０と連結される部分における断面積が最も小さくなり、外側部分３５と連結される部分における断面積が最も大きくなり、かつ、内側部分３０から外側部分３５へ向かうにつれて連結部分４５の断面積が次第に大きくなるよう、連結部分４５が構成される。図７において、符号ｋ１は、内側部分３０の凹部３１の底部３１ｅにおける連結部分４５の幅を表し、符号ｋ２は、外側部分３５の内方突起部３７の内側端部３７ｅにおける連結部分４５の幅を表している。好ましくは、連結部分４５の幅は、内側部分３０から外側部分へ向かうにつれて次第に大きくなっている。
【００５６】
容器２０を構成する材料や、容器２０の製造方法は、内側部分３０および外側部分３５が蓋５０の下面５０ｂに接合され得るよう選択される。例えば、樹脂を用いた射出成形によって、底面２２、側面２４およびフランジ部２６を一体的に形成してもよい。容器２０を構成する樹脂としては、例えばポリプロピレン等の熱可塑性樹脂を用いることができる。
【００５７】
（蓋）
次に、容器２０に接合される蓋５０について説明する。蓋５０を構成する材料は、蓋５０の下面５０ｂが内側部分３０および外側部分３５に接合され得るよう、選択される。例えば蓋５０は、基材層と、蓋５０の下面５０ｂを構成するシーラント層と、を含んでいる。蓋５０の厚みは、例えば２０〜１００μｍの範囲内になっている。
【００５８】
基材層を構成する材料としては、ポリエチレンテレフタレートなどのポリエステル系樹脂、ナイロンなどのポリアミド系樹脂や、ポリプロピレン等を用いることができる。またシーラント層を構成する材料としては、ポリプロピレンや、ポリプロピレンおよびポリエチレンの混合樹脂等を用いることができる。なお、基材層およびシーラント層がいずれもポリプロピレンを含む場合、基材層においては二軸延伸ポリプロピレンが用いられ、シーラント層においては無延伸ポリプロピレンが用いられる。
【００５９】
なお上述の「ポリプロピレンおよびポリエチレンの混合樹脂」は、イージーピールシーラントとも称される、比較的小さな接合力を有する材料である。また、蓋５０のシーラント層がポリプロピレンおよびポリエチレンの混合樹脂を含む場合、上述の引張試験機を用いた方法などによって算出される蓋５０とフランジ部２６との間の接合力が、２０Ｎ以下となることが好ましく、１５Ｎ以下となることがより好ましい。一方、蓋５０のシーラント層がポリプロピレン単体によって構成される場合、その接合力は、ポリプロピレンおよびポリエチレンの混合樹脂が用いられる場合に比べて大きくなる。
【００６０】
（蓋付容器の製造方法）
次に、蓋付容器１０の製造方法の一例について説明する。
【００６１】
はじめに、樹脂を用いた射出成形によって、一体的に形成された底面２２、側面２４およびフランジ部２６を有する容器２０を形成する。また、容器２０のフランジ部２６に対応した輪郭を有する蓋５０を準備する。
【００６２】
次に、容器２０のフランジ部２６の内側部分３０の上面３０ａ上および外側部分３５の外側本体部３６の上面３６ａ上に蓋５０を載置する。その後、蓋５０のうち容器２０のフランジ部２６の内側部分３０および外側本体部３６と重なる部分を、熱板などを用いて上面５０ａ側から加熱して、蓋５０のシーラント層およびフランジ部２６を溶融させる。これによって、蓋５０を容器２０のフランジ部２６の内側部分３０の上面３０ａおよび外側本体部３６の上面３６ａに溶着させることができる。このとき、フランジ部２６の下面に受板を配置させるようにしてもよい。この場合、受板は一般には加熱されない。
【００６３】
ここで本実施の形態によれば、上述のように、フランジ部２６の内側部分３０の上面３０ａおよび外側部分３５の外側本体部３６の上面３６ａのうち少なくとも蓋５０の下面５０ｂに接する部分は、同一平面上に位置している。このため、内側部分３０の上面３０ａと外側部分３５の外側本体部３６の上面３６ａとの間に段差が存在する場合に比べて、蓋５０の下面５０ｂを内側部分３０の上面３０ａおよび外側本体部３６の上面３６ａにより均一に溶着させることができる。このことにより、容器２０のフランジ部２６と蓋５０との間の接合力が、位置や個体に応じてばらつくことを抑制することができ、初期密封性を高めることができる。
【００６４】
（蓋付容器の開封方法）
次に、蓋付容器１０を開封する方法の一例について説明する。
【００６５】
はじめに、容器２０のフランジ部２６の端部の一部に上向きの力を加えて、複数の連結部分４５の一部を部分的に破断させる。その後、容器２０のフランジ部２６の端部の一部がさらに上方に持ち上げられるよう外側部分３５に力を加えることにより、複数の連結部分４５を全て破断させる。これによって、図８に示すように、外側部分３５が接合された状態の蓋５０を容器２０から取り外して、容器２０を開封容器２１とすることができる。
【００６６】
本実施の形態においては、上述のように、外側部分３５が接合された状態の蓋５０が容器２０から取り外される。その後、外側部分３５が接合された状態の蓋５０を用いて、開封容器２１の開口部２８を再び覆うことができる。例えば、蓋５０に接合された外側部分３５の外側本体部３６が開封容器２１の内側部分３０よりも外側に位置するように蓋５０を開封容器２１に被せることにより、開封容器２１を再封することができる。例えば、内側部分３０の外側端部３０ｅと外側部分３５の外側本体部３６の内側端部３６ｅとが水平方向において対向するように蓋５０を開封容器２１に被せる。これによって、水平方向において、開封容器２１に対する蓋５０の位置を安定に維持することができる。
【００６７】
以下、蓋５０を用いて開封容器２１を再封する作業について詳細に説明する。はじめに、蓋５０に接合されている外側部分３５の内方突起部３７が、開封容器２１の内側部分３０の凹部３１と重なるよう、開封容器２１の上方で、蓋５０に接合された外側部分３５の位置を調整する。次に、蓋５０に接合されている外側部分３５の内方突起部３７が、開封容器２１の内側部分３０の凹部３１に挿入されるように、蓋５０を開封容器２１に被せる。ここで本実施の形態によれば、上述のように、外側部分３５の内方突起部３７の寸法Ｓ２が、内側部分３０の凹部３１の寸法Ｓ１よりも小さくなっている。このため、外側部分３５が接合されている蓋５０を開封容器２１に被せる際に、外側部分３５の内方突起部３７が内側部分３０に当接することによって下方への蓋５０の移動が阻害されてしまうことを抑制することができる。このことにより、外側部分３５が接合されている蓋５０を容易に開封容器２１に被せることができる。
【００６８】
また本実施の形態においては、上述のように、外側部分３５の内方突起部３７の内側端部３７ｅは、少なくとも部分的に、内側部分３０の外側端部３０ｅよりも内側に位置している。また外側部分３５の内方突起部３７は、外側部分３５の内方突起部３７の上面３７ａが少なくとも部分的に、内側部分３０の下面３０ｂと同一平面上に位置するよう、構成されている。このため図９および図１０に示すように、蓋５０に接合された外側部分３５の内方突起部３７が開封容器２１の内側部分３０と平面視において少なくとも部分的に重なるようになるまで、開封容器２１に被せられた蓋５０を開封容器２１に対して、フランジ部２６の長辺２６ａが延びる方向Ｄ１に沿って移動させることができる。従って、図９および図１０に示す状態の開封容器２１および蓋５０においては、開封容器２１に対して蓋５０を上方に移動させると、蓋５０に接合されている外側部分３５の内方突起部３７が、開封容器２１の内側部分３０に当接することになる。すなわち、上下方向における蓋５０の移動が、内側部分３０と外側部分３５の内方突起部３７との当接によって抑制されている。従って、蓋５０が開封容器２１から外れてしまうことを抑制することができる。このため、再封性を向上させることができる。また、蓋５０に接合されている外側部分３５の内方突起部３７の上面３７ａが、開封容器２１の内側部分３０の下面３０ｂに接触している場合、フランジ部２６の長辺２６ａの方向Ｄ１における蓋５０の移動を抑制することもできる。
【００６９】
なお、外側部分３５のうちフランジ部２６の短辺２６ｂを構成する部分の少なくとも一部が、水平方向に沿って見た場合に内側部分３０と少なくとも部分的に重なるように、外側部分３５が構成されている場合、方向Ｄ１における蓋５０の移動が、内側部分３０と外側部分３５との当接によって規制されるようになる。これによって、蓋５０が開封容器２１から外れてしまうことを抑制することができる。また外側部分３５のうちフランジ部２６の一対の短辺２６ｂを構成する部分に内方突起部４１が設けられ、且つ、内方突起部４１の上面４１ａが内側部分３０の下面３０ｂと同一平面上に、または少なくとも部分的に内側部分３０の下面３０ｂよりも下方に位置するよう構成されている場合、図９に示すように、内方突起部３７だけでなく内方突起部４１も、開封容器２１の内側部分３０と平面視において重なるようになる。このため、上下方向における蓋５０の移動が、内側部分３０と外側部分３５の内方突起部３７，４１との当接によって規制されるようになる。これによって、蓋５０が開封容器２１から外れてしまうことをさらに抑制することができる。
【００７０】
好ましくは、内側部分３０または外側部分３５の内方突起部３７の少なくともいずれかには、外側部分３５が接合された状態の蓋５０が開封容器２１に対して移動することを制限するための係止部が設けられている。この係止部は、係止部が内側部分３０の一部または外側部分３５の一部に当接する位置において、蓋５０に接合された外側部分３５の内方突起部３７が、水平方向に沿って見た場合に開封容器２１の内側部分３０と少なくとも部分的に重なるよう、配置される。このような係止部を設けることにより、内側部分３０と外側部分３５の内方突起部３７との当接によって上下方向における蓋５０の移動を抑制することができるようになる位置にまで、開封容器２１に被せられた蓋５０を容易に移動させることができる。すなわち、開封容器２１に被せられた蓋５０の位置決めを容易化することができる。また、方向Ｄ１における蓋５０の移動を、内側部分３０に設けられた係止部と外側部分３５の内方突起部３７との当接、または外側部分３５の内方突起部３７に設けられた係止部と内側部分３０との当接によって規制することができる。これによって、蓋５０が開封容器２１から外れてしまうことを抑制することができる。
【００７１】
係止部は、例えば図９において符号３０ｘが付された点線の丸印で示すように、内側部分３０に、より具体的には内側部分３０の下面３０ｂに設けられ得る。この場合、係止部３０ｘは、外側部分３５の内方突起部３７の上面３７ａよりも下方に位置するよう、形成される。また図示はしないが、係止部は、外側部分３５の内方突起部３７の上面３７ａに設けられていてもよい。この場合、係止部は、内側部分３０の下面３０ｂよりも上方に位置するよう、形成される。
【００７２】
また本実施の形態によれば、再封性に関する上述の利点以外にも、以下に説明するような利点がもたらされ得る。
【００７３】
本実施の形態においては、外側部分３５が接合された状態の蓋５０が容器２０から取り外されるので、蓋５０が単体で容器２０から取り外される場合に比べて、蓋５０が変形してしまうこと、例えば蓋５０が湾曲したりカールしたりしてしまうことを抑制することができる。従って、蓋５０を用いて開封容器２１を再封する際に、蓋５０の平坦性をより安定に維持することができる。
【００７４】
また本実施の形態において、フランジ部２６の内側部分３０には上述のように、内側部分３０の外側の外側端部３０ｅから内側へ凹んだ複数の凹部３１が形成されている。この場合、連結部分４５を破断させて蓋５０を容器２０から取り外した後に使用者が開封容器２１を保持するとき、指によって開封容器２１のフランジ部２６の内側部分３０の外側端部３０ｅが挟持されることが考えられる。ここで本実施の形態によれば、連結部分４５の一端は、内側部分３０のうち外側端部３０ｅ以外の部分に連結されている。このため、連結部分４０を破断させた後に開封容器２１に形成され得るばりは、内側部分３０のうち外側端部３０ｅ以外の部分に生じるようになる。例えば、連結部分４０の一端が内側部分３０の凹部３１の底部３１ｅに連結されている場合、ばりが凹部３１の底部３１ｅに生じることになる。使用者が開封容器２１を保持する際、使用者の指が凹部３１の底部３１ｅに接触する可能性は低い。従って本実施の形態によれば、使用者が開封容器２１を保持する際に使用者の指がばりによって傷ついてしまうことを抑制することができる。
【００７５】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７６】
（内方突起部の上面の変形例）
上述の本実施の形態においては、外側部分３５の内方突起部３７の上面３７ａが、内側部分３０の上面３０ａや外側本体部３６の上面３６ａと平行に水平に広がる例を示した。しかしながら、これに限られることはなく、図１１に示すように、外側部分３５の内方突起部３７の上面３７ａは、少なくとも部分的に、内側へ向かうにつれて下方へ傾斜する傾斜面を含んでいてもよい。これによって、開封容器２１に被せられた蓋５０を移動させたときに、内方突起部３７の上面３７ａが内側部分３０の下面３０ｂと同一平面上または内側部分３０の下面３０ｂよりも下方に位置する状態をより容易に実現することができる。なお図１１は、上述の図５と同様に、容器２０のフランジ部２６の外側部分３５の内方突起部３７を通るよう切断された蓋付容器１０の断面図であって、図２の線Vに沿った断面図である。なお、図１１においては、連結部４５を省略した状態の断面図が示されている。
【００７７】
（外方突起部の下面の変形例）
また図１２に示すように、内側部分３０の下面３０ｂは、少なくとも部分的に、外側へ向かうにつれて上方へ傾斜する傾斜面を含んでいてもよい。この場合にも、開封容器２１に被せられた蓋５０を所定の距離にわたって移動させたときに、内方突起部３７の上面３７ａが内側部分３０の下面３０ｂと同一平面上または内側部分３０の下面３０ｂよりも下方に位置する状態をより容易に実現することができる。なお図１２は、上述の図１０と同様に、蓋５０で再封された状態の開封容器２１の断面図であって、図９の線Xに沿った断面図である。なお図１２においては、上述の図１１の場合と同様に、外側部分３５の内方突起部３７の上面３７ａが、内側へ向かうにつれて下方へ傾斜する傾斜面を含む例を示した。しかしながら、これに限られることはなく、内側部分３０の下面３０ｂは外側へ向かうにつれて上方へ傾斜する傾斜面を含むが、外側部分３５の内方突起部３７の上面３７ａは傾斜面を含まない、という形態が採用されてもよい。
【００７８】
（内方突起部の上面および下面の変形例）
上述の図１１においては、内方突起部３７の上面３７ａは傾斜面を含むが、内方突起部３７の下面３７ｂは、外側本体部３６の下面３６ｂと平行に水平に広がる例を示した。しかしながら、これに限られることはなく、図１３に示すように、外側部分３５の内方突起部３７の上面３７ａおよび下面３７ｂのいずれもが、少なくとも部分的に、内側へ向かうにつれて下方へ傾斜する傾斜面を含んでいてもよい。
【００７９】
（補強部および壁部に関する変形例）
上述の本実施の形態においては、外側部分３５が補強部３８および壁部３９を有する例を示したが、これに限られることはない。例えば図１４に示すように、外側部分３５は、補強部３８を有するが壁部３９を有していなくてもよい。また図１５に示すように、外側部分３５は、壁部３９を有するが補強部３８を有していなくてもよい。また図１６に示すように、外側部分３５は、補強部３８および壁部３９を有していなくてもよい。
【００８０】
（フランジ部の短辺を構成する外側部分の変形例）
上述の本実施の形態においては、フランジ部２６の一対の短辺２６ｂの内側部分３０の外側端部３０ｅの間の距離Ｌ１と、フランジ部２６の一対の短辺２６ｂの外側部分３５の外側本体部３６の内側端部３６ｅの間の距離Ｌ２との差の分だけ蓋５０が開封容器２１に対して相対的に移動可能である例を示した。すなわち、フランジ部２６の短辺２６ｂの部分において、内側部分３０の外側端部３０ｅと外側部分３５の外側本体部３６の内側端部３６ｅとが水平方向において少なくとも部分的に重なっている例を示した。しかしながら、これに限られることはなく、フランジ部２６の短辺２６ｂの部分において、内側部分３０の外側端部３０ｅと外側部分３５の外側本体部３６の内側端部３６ｅとが水平方向において重ならないよう、外側部分３５を構成してもよい。例えば図１７および図１８に示すように、フランジ部２６の短辺２６ｂの部分において、外側本体部３６の下面３６ｂが、内側部分３０の上面３０ａと同一平面上に、または内側部分３０の上面３０ａよりも上方に位置するよう、外側部分３５を構成してもよい。図１８は、図１７において、容器２０の中心を通り、容器２０のフランジ部２６の長辺が延びる方向に沿って蓋付容器１０を切断した場合を示す縦断面図である。この場合、外側部分３５が接合された状態の蓋５０を開封容器２１に対して、フランジ部２６の長辺２６ａが延びる方向Ｄ１に沿って移動させたとしても、内側部分３０の外側端部３０ｅと外側部分３５の外側本体部３６の内側端部３６ｅとが当接することがない。このため、方向Ｄ１に沿って蓋５０を任意に移動させることができる。なお図１７および図１８に示す変形例において、蓋５０は、外側部分３５のうちフランジ部２６の長辺２６ａを構成する部分にのみ接合され、外側部分３５のうちフランジ部２６の短辺２６ｂを構成する部分には接合されていなくてもよい。また、フランジ部２６のいずれか一方の短辺２６ｂの部分において、外側部分３５は、外側本体部３６の下面３６ｂが、内側部分３０の上面３０ａと同一平面上に、または内側部分３０の上面３０ａよりも上方に位置するよう、構成されていてもよい。
【００８１】
本変形例においては、方向Ｄ１における蓋５０の可動範囲が、図１乃至図１０に示す本実施の形態の場合に比べて大きくなっている。このため、開封容器２１に蓋５０を被せた状態で蓋５０を方向Ｄ１において移動させることにより、開封容器２１の開口部２８を十分に外部に露出させることができる。従って、蓋５０を開封容器２１から取り外すことなく、蓋５０を方向Ｄ１において移動させることにより、開封容器２１から内容物を取り出すことができる。このことにより、開封容器２１の使用性を高めることができる。また、方向Ｄ１における蓋５０の移動量を調整することにより、開口部２８のうち外部に露出している部分の面積を任意に調整することができる。このため、例えば開封容器２１を振って内容物を開口部２８から取り出すこと、すなわち振り出しによって内容物を取り出すことが可能になる。
【００８２】
（その他の変形例）
上述の本実施の形態においては、蓋５０が容器２０のフランジ部２６に溶着されている例を示した。しかしながら、蓋付容器１０の十分な密封性を確保し、また外側部分３５が、蓋５０とともに容器２０のその他の部分から取り外されることができる限りにおいて、蓋５０が容器２０のフランジ部２６に接合させるための手段が溶着に限られることはない。例えば接着剤などの、容器２０および蓋５０とは別個の構成要素を用いて、蓋５０を容器２０に取り付けてもよい。
【００８３】
また上述の本実施の形態および各変形例においては、連結部分４５の一端が、内側部分３０の外側端部３０ｅ以外の部分に連結されており、これによって、ばりによって使用者の指などが傷ついてしまうことを抑制することができる例を示したが、これに限られることはない。図示はしないが、連結部分４５の一端は、内側部分３０の外側端部３０ｅに連結されていてもよい。この場合であっても、蓋付容器１０が上述の内側部分３０および外側部分３５の内方突起部３７を備える限りにおいて、蓋付容器１０は、先行技術に対する貢献をもたらすことができる。
【００８４】
また上述の本実施の形態および各変形例においては、内側部分３０の複数の凹部３１が、内側部分３０のうちフランジ部２６の一対の長辺２６ａを構成する部分に形成される例を示した。しかしながら、これに限られることはなく、内側部分３０の凹部３１は、内側部分３０のうちフランジ部２６の一対の短辺２６ｂを構成する部分に形成されていてもよい。この場合、外側部分３５のうちフランジ部２６の一対の短辺２６ｂを構成する部分は、内側部分３０に沿って延びる外側本体部３６と、外側本体部３６の内側端部３６ｅから内側へ突出した複数の内方突起部３７と、を有している。また内側部分３０および外側部分３５は、連結部分４５を破断させて蓋５０を容器２０から取り外した後、蓋５０で開封容器２１を再封した状態において、外側部分３５が接合された状態の蓋５０が開封容器２１に対して、フランジ部２６の一対の短辺２６ｂが延びる方向において移動可能であるよう、構成される。
【００８５】
また上述の本実施の形態および各変形例においては、容器２０のフランジ部２６が略矩形状の輪郭を有する例を示した。しかしながら、外側部分３５が接合された状態の蓋５０が開封容器２１に対して、フランジ部２６の互いに対向する一対の辺が延びる方向において移動可能である限りにおいて、フランジ部２６の輪郭が特に限られることはない。
【符号の説明】
【００８６】
１０  蓋付容器
２０  容器
２１  開封容器
２２  底面
２４  側面
２６  フランジ部
２６ａ  長辺
２６ｂ  短辺
３０  内側部分
３０ａ  上面
３０ｂ  下面
３０ｅ  外側端部
３０ｘ  係止部
３１  凹部
３１ｅ  底部
３５  外側部分
３６  外側本体部
３６ａ  上面
３６ｂ  下面
３６ｅ  内側端部
３７  内方突起部
３７ａ  上面
３７ｂ  下面
３７ｅ  内側端部
３８  補強部
３９  壁部
４５  連結部分
４５ａ  上面
４５ｂ  下面
５０  蓋
【図１】
0006481893.tif 000002
【図２】
0006481893.tif 000003
【図３】
0006481893.tif 000004
【図４】
0006481893.tif 000005
【図５】
0006481893.tif 000006
【図６】
0006481893.tif 000007
【図７】
0006481893.tif 000008
【図８】
0006481893.tif 000009
【図９】
0006481893.tif 000010
【図１０】
0006481893.tif 000011
【図１１】
0006481893.tif 000012
【図１２】
0006481893.tif 000013
【図１３】
0006481893.tif 000014
【図１４】
0006481893.tif 000015
【図１５】
0006481893.tif 000016
【図１６】
0006481893.tif 000017
【図１７】
0006481893.tif 000018
【図１８】
0006481893.tif 000019